(57)【要約】【課題】適用されるアプリケーションの柔軟性を容易に高める。【解決手段】ＷＤＭモジュール４０と光ファイバ伝送路間を接続する伝送路インタフェース部を、アプリケーションに応じた光学部品が搭載されてモジュール化されたプロガブル伝送路インタフェース部５０とし、アプリケーションに応じて取り替え可能に実装される構成とする。【選択図】図２
2013239950.tif 000002
【特許請求の範囲】
【請求項１】
端末装置に対応して設けられ、対応する端末装置と光伝送路との間で送受信される信号を中継する光中継器であって、
前記端末装置とのインタフェースを司るクライアントインタフェース部と、
前記端末装置と前記光伝送路との間にて送受信される信号を、前記端末装置側と前記光伝送路側とのそれぞれに適した信号に変換する主信号処理部と、
前記端末装置と前記光伝送路との間にて送受信される信号の光／電気変換を行うＷＤＭモジュールと、
前記ＷＤＭモジュールと前記光伝送路間を接続する伝送路インタフェース部とを有し、
前記伝送路インタフェース部は、アプリケーションに応じた光学部品が搭載されてモジュール化されており、当該光中継器が適用されるアプリケーションに応じて取り替え可能に実装されている光中継器。
【請求項２】
請求項１に記載の光中継器において、
前記ＷＤＭモジュールと前記伝送路インタフェース部とを光学的に接続する伝送路インタフェース接続部を有する光中継器。
【請求項３】
請求項１または請求項２に記載の光中継器を用いた光伝送システムであって、
前記光中継器を複数収容する端局装置が前記光伝送路を介して接続され、
前記端局装置は、前記複数の光中継器と前記光伝送路との間にて送受信される光信号を合波／分波する光合分波部を有する光伝送システム。
【発明の詳細な説明】
【技術分野】
【０００１】
本発明は、光中継器及びこれを用いた光伝送システムに関する。
【背景技術】
【０００２】
光伝送システムにおいては、光信号を中継するために光中継器となるトランスポンダパッケージが用いられている。このようなトランスポンダパッケージは、例えば、伝送路側光レベルの入出力レベルを調整または増幅したり、伝送路側プロテクション機能をサポートしたりする等、そのアプリケーションの条件に応じて、ＷＤＭモジュールに接続される部品として、光減衰器、ＥＤＦＡ、光カプラ、光スイッチ等の光学部品を適宜選択して実装する必要がある。そのため、アプリケーション毎に異なるパッケージになり、品種が多くなってしまう。
【０００３】
ここで、ＷＤＭモジュールをプロガブル化する技術が、特許文献１に開示されている。
【先行技術文献】
【特許文献】
【０００４】
【特許文献１】特開２００５−７８０３６号公報
【発明の概要】
【発明が解決しようとする課題】
【０００５】
しかしながら、特許文献１に開示された技術は、ＷＤＭモジュールをプロガブル化するものであるため、上述したように、アプリケーションの条件に応じて、光減衰器、ＥＤＦＡ、光カプラ、光スイッチ等の光学部品を適宜選択して実装する必要があり、アプリケーション毎に異なるパッケージになり、品種が多くなってしまうことを回避することはできない。
【０００６】
本発明は、上述したような技術が有する問題点に鑑みてなされたものであって、適用されるアプリケーションの柔軟性を容易に高めることができる光中継器及びこれを用いた光伝送システムを提供することを目的とする。
【課題を解決するための手段】
【０００７】
上記目的を達成するために本発明は、
端末装置に対応して設けられ、対応する端末装置と光伝送路との間で送受信される信号を中継する光中継器であって、
前記端末装置とのインタフェースを司るクライアントインタフェース部と、
前記端末装置と前記光伝送路との間にて送受信される信号を、前記端末装置側と前記光伝送路側とのそれぞれに適した信号に変換する主信号処理部と、
前記端末装置と前記光伝送路との間にて送受信される信号の光／電気変換を行うＷＤＭモジュールと、
前記ＷＤＭモジュールと前記光伝送路間を接続する伝送路インタフェース部とを有し、
前記伝送路インタフェース部は、アプリケーションに応じた光学部品が搭載されてモジュール化されており、当該光中継器が適用されるアプリケーションに応じて取り替え可能に実装されている。
【発明の効果】
【０００８】
本発明によれば、容易に必要なアプリケーションに応じた構成とすることができ、コスト削減やネットワーク設計の柔軟性を得られるとともに、伝送路インタフェース部を取り外した状態で汎用化することができる。
【図面の簡単な説明】
【０００９】
【図１】本発明の光中継器が用いられる光伝送システムの実施の一形態を示す図である。
【図２】図１に示したトランスポンダ部の構成を示す図である。
【発明を実施するための形態】
【００１０】
以下に、本発明の実施の形態について図面を参照して説明する。
【００１１】
図１は、本発明の光中継器が用いられる光伝送システムの実施の一形態を示す図である。
【００１２】
本形態は図１に示すように、端局装置となる２つのノード２，１２間にて光ファイバ伝送路５を介して信号が送受信されるものであって、ノード２，１２のそれぞれには、端末装置となるクライアント装置１−１〜１−ｎ，１１−１〜１１−ｎが接続されて構成されている。
【００１３】
ノード２，１２のそれぞれは、クライアント装置１−１〜１−ｎ，１１−１〜１１−ｎのそれぞれに対応した光中継器となるトランスポンダ部３−１〜３−ｎ，１３−１〜１３−ｎと、光合分波部４，１４とを有している。
【００１４】
トランスポンダ部３−１〜３−ｎ，１３−１〜１３−ｎは、対応するクライアント装置１−１〜１−ｎ，１１−１〜１１−ｎから入力された光信号を、波長多重（ＷＤＭ）伝送に適したフレームフォーマットの信号にマッピングした後、所定の波長成分を持つ光信号に変換して出力する機能と、光ファイバ伝送路５より入力された光信号を、波長多重（ＷＤＭ）伝送に適したフレームフォーマットの信号からデマッピングした後、クライアント装置１−１〜１−ｎ，１１−１〜１１−ｎに適したスペックの光信号に変換して出力する機能とを有し、対応するクライアント装置１−１〜１−ｎ，１１−１〜１１−ｎ光ファイバ伝送路５との間で送受信される信号を中継する。
【００１５】
光合分波部４，１４はそれぞれ、トランスポンダ部３−１〜３−ｎ，１３−１〜１３−ｎから入力されるｎ本の光信号を合波してＷＤＭ光信号を生成し、光ファイバ伝送路５へ出力する機能と、光ファイバ伝送路５から入力されたＷＤＭ光信号を分波してトランスポンダ部３−１〜３−ｎ，１３−１〜１３−ｎへ入力する機能とを有する。
【００１６】
図２は、図１に示したトランスポンダ部３−１〜３−ｎ，１３−１〜１３−ｎの構成を示す図である。
【００１７】
図１に示したトランスポンダ部３−１〜３−ｎ，１３−１〜１３−ｎのそれぞれは図２に示すように、クライアントインタフェース部２０と、主信号処理部３０と、ＷＤＭモジュール４０と、プラガブル伝送路インタフェース部５０と、プラガブル伝送路インタフェース接続部６０とから構成されている。
【００１８】
クライアントインタフェース部２０は、対応するクライアント装置のクライアントモジュールを搭載し、クライアント装置とのインタフェースを司る。
【００１９】
主信号処理部３０は、対応するクライアント装置と光ファイバ伝送路５との間にて送受信される信号を、クライアント装置側と光ファイバ伝送路５側となるＷＤＭモジュール４０とのそれぞれに適した信号に変換する。
【００２０】
ＷＤＭモジュール４０は、クライアント装置と光ファイバ伝送路５との間にて送受信される信号の光／電気変換を行う。
【００２１】
プラガブル伝送路インタフェース部５０は、アプリケーションに応じた部品が搭載されてモジュール化されており、トランスポンダが用いられる光伝送システムが適用されるアプリケーションに応じて取り替え可能に実装される。そして、トランスポンダに実装されることにより、ＷＤＭモジュール４０と光ファイバ伝送路５間を接続する。プラガブル伝送路インタフェース部５０のバリエーションは、例えば、光学部品を搭載せず光パッチコードのみのタイプや、送信側に光減衰器を搭載して光ファイバ伝送路５への光出力レベルを調整可能なタイプ、送信側にＥＤＦＡを搭載して光ファイバ伝送路５への光出力レベルを増幅可能なタイプ、送信側に光カプラ、受信側に光スイッチを搭載し、光ファイバ伝送路５側を二方路とする伝送路プロテクション構成とすることが可能なタイプ等、トランスポンダが用いられる光伝送システムのアプリケーションに応じてさまざまな種類が考えられる。
【００２２】
プラガブル伝送路インタフェース接続部６０は、ＷＤＭモジュール４０とプラガブル伝送路インタフェース部５０との光学的な接続機能及び電源や制御系の接続機能を有する。
【００２３】
以下に、上記のように構成された光伝送システムにおけるトランスポンダ部の使用方法について説明する。
【００２４】
例えば、ＷＤＭモジュール４０の光インタフェースを光ファイバ伝送路５に直接接続する場合は、プラガブル伝送路インタフェース部５０として、光学部品を搭載しない光パッチコードのみのタイプを実装する。光ファイバ伝送路５側のスペックを光学部品なしで満たすことが可能な場合はこの構成をとることにより、低コストでシステム運用が実現可能となる。
【００２５】
また、例えば、ＷＤＭモジュール４０の出力レベルにばらつきが多いためにある一定のレベルに合わせ込む必要がある場合は、プラガブル伝送路インタフェース部５０として、送信側に光減衰器を搭載したタイプを実装する。この光減衰器は、トランスポンダ部３−１〜３−ｎ，１３−１〜１３−ｎ内から出力レベル目標値を与えて制御することにより、光ファイバ伝送路５に出力される光レベルを一定に調整することが可能となる。
【００２６】
また、例えば、ＷＤＭモジュール４０の出力レベルが、光ファイバ伝送路５への出力に必要なレベルに足りない場合は、プラガブル伝送路インタフェース部５０として、送信側にＥＤＦＡを搭載したタイプを実装する。このＥＤＦＡは、トランスポンダ部３−１〜３−ｎ，１３−１〜１３−ｎ内から出力レベルを設定することにより、任意の出力レベルまで増幅することが可能となる。
【００２７】
また、例えば、ＷＤＭモジュール４０の出力を二方路の伝送路に分岐し、受信側は二方路の伝送路のうちどちらか一方の信号を選択するような伝送路プロテクション構成をとる場合は、プラガブル伝送路インタフェース部５０として、送信側に光カプラ、受信側に光スイッチを搭載したタイプを実装し、受信側光スイッチの信号選択をトランスポンダ部３−１〜３−ｎ，１３−１〜１３−ｎ内からの制御により行うことにより、伝送路プロテクション機能の実現が可能となる。
【００２８】
このように、本形態においては、ＷＤＭモジュール４０と光ファイバ伝送路５間を接続する伝送路インタフェース部として、アプリケーションに応じて異なる光学部品が搭載されてモジュール化されたプラガブル伝送路インタフェース部５０を用い、このプラガブル伝送路インタフェース部５０をアプリケーションに応じて取り替え可能に実装する構成としたため、プラガブル伝送路インタフェース部５０を取り外した状態では一種類で汎用化され、プラガブル伝送路インタフェース部５０をアプリケーションに応じて取り替えて実装することにより、様々なアプリケーションへ対応させることが可能となる。
【符号の説明】
【００２９】
１−１〜１−ｎ，１１−１〜１１−ｎ    クライアント装置
２，１２    ノード
３−１〜３−ｎ，１３−１〜１３−ｎ    トランスポンダ
４，１４    光合分波部
５    光ファイバ伝送路
２０    クライアントインタフェース部
３０    主信号処理部
４０    ＷＤＭモジュール
５０    プロガブル伝送路インタフェース部
６０    プロガブル伝送路インタフェース接続部
【図１】
2013239950.tif 000003
【図２】
2013239950.tif 000004